【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
複数のリンクされたコミッション済ユニットを有する物理的構造内の環境条件を管理する方法であって、
前記複数のリンクされたコミッション済ユニットのうちの少なくとも１つのユニットに関連する１以上の占有センサが、指定された区域が非占有状態から占有状態に移行したことを示すセンサデータを生成するステップと、
前記複数のリンクされたコミッション済ユニットのうちの第１のユニットに関連する第１の１以上の照明器具が、前記センサデータの生成に続く所定の反応期間内に背景レベルの照明を生成するステップと、
前記複数のリンクされたコミッション済ユニットのうちの前記第１のユニットが、前記指定された区域の状態変化を示すデータを送信するステップと、
前記複数のリンクされたコミッション済ユニットのうちの少なくとも第２のユニットが、前記状態変化を示すデータを受信すると共に、少なくとも第２の１以上の照明器具に照明を変化させるステップと、
を有する、方法。
【請求項２】
前記複数のリンクされたコミッション済ユニットのうちの前記第２のユニット又は前記少なくとも第２の１以上の照明器具が、前記少なくとも第２の１以上の照明器具が照明を変化させる前に、照明シーン情報を記憶したメモリにアクセスする、請求項１に記載の方法。
【請求項３】
複数のリンクされたコミッション済ユニット及び１以上の占有センサを有する物理的構造内の環境条件を管理する方法であって、
前記複数のリンクされたコミッション済ユニットのうちの少なくとも１つのユニットに関連する前記１以上の占有センサにより生成される占有データに基づいて、指定された区域が占有状態から非占有状態に移行したとの第１判定を行うステップと、
保持期間の少なくとも一部にわたり前記占有センサにより生成される更なる占有データを監視すると共に、前記指定された区域が前記保持期間の全体にわたり前記非占有状態に留まったか否かについての第２判定を行うステップと、
前記第２判定の結果に基づいて、前記複数のリンクされたコミッション済ユニットのうちの前記指定された区域に関連する少なくとも１つのユニットの１以上の照明器具が、前記保持期間の経過に続いて開始する第１猶予期間にわたり第１の一層低いレベルの照明にフェードするステップと、
を有する、方法。
【請求項４】
前記第１猶予期間の少なくとも一部にわたり前記占有センサにより生成される更なる占有データを監視すると共に、前記指定された区域が前記第１猶予期間の全体にわたり前記非占有状態に留まったか否かについての第３判定を行うステップと、
前記第３判定の結果に基づいて、前記１以上の照明器具が、前記第１猶予期間の開始前に生成された以前の一層高いレベルの照明に戻るようにフェードするか、又は前記一層低いレベルの照明への移行を完了するステップと、
を更に有する、請求項３に記載の方法。
【請求項５】
延長期間の少なくとも一部にわたり前記占有センサにより生成される更なる占有データを監視すると共に、前記指定された区域が前記延長期間の全体にわたり前記非占有状態に留まったか否かについての第４判定を行うステップと、
前記第４判定の結果に基づいて、前記１以上の照明器具が、前記延長期間の開始前に生成された以前の一層高いレベルの照明に戻るようにフェードするか、又は前記延長期間に続いて開始する第２猶予期間にわたりスイッチオフ状態に関連するレベルの照明にフェードするステップと、
を更に有する、請求項４に記載の方法。
【請求項６】
複数のリンクされたコミッション済ユニット及び１以上の照明センサを有する物理的構造内の環境条件を管理する方法であって、
前記１以上の照明センサが作業区域における照明の変化を示すステップと、
前記作業区域に関連されると共に前記１以上の照明センサに通信的に接続された前記複数のコミッション済ユニットのうちの少なくとも１つのユニットが、前記照明の変化の指示情報を受信すると共に、該照明の変化の指示情報に関連する変化の量が事前設定量より多いか否かについての第１判定を行うステップと、
前記第１判定に基づいて、前記複数のコミッション済ユニットのうちの前記少なくとも１つのユニットが、前記１以上の照明センサの出力にアクセスすると共に、前記作業区域における照明のレベルが事前設定された照明レベル以上であるか否かについての第２判定を行うステップと、
前記作業区域における少なくとも１つの照明器具が、前記第２判定が前記作業区域における照明レベルが前記事前設定された照明レベル以上であることを示す場合は第１フェード期間にわたり所定の最小レベルの照明を供給する状態に移行する一方、前記第２判定が前記作業区域における照明レベルが前記事前設定された照明レベルより低いことを示す場合は第２フェード期間にわたり所定の最大レベルの照明を供給する状態に移行するステップと、
を有する、方法。
【請求項７】
複数のリンクされたコミッション済ユニットを有する物理的構造内の環境条件を管理するシステムであって、
前記複数のリンクされたコミッション済ユニットのうちの少なくとも１つのユニットに関連すると共に指定された区域が非占有状態から占有状態に移行したことを示すセンサデータを生成する１以上の占有センサと、
前記複数のリンクされたコミッション済ユニットのうちの第１のユニットに関連すると共に前記センサデータの生成に続く所定の反応期間内に背景レベルの照明を生成する第１の１以上の照明器具であって、前記複数のリンクされたコミッション済ユニットのうちの前記第１のユニットが前記指定された区域の状態変化を示すデータを送信する第１の１以上の照明器具と、
前記状態変化を示すデータを受信すると共に少なくとも第２の１以上の照明器具に照明を変化させる前記複数のリンクされたコミッション済ユニットにおける少なくとも第２のコミッション済ユニットと、
を有する、システム。
【請求項８】
前記複数のリンクされたコミッション済ユニットにおける前記第２のコミッション済ユニット又は前記少なくとも第２の１以上の照明器具が、前記少なくとも第２の１以上の照明器具が照明を変化させる前に、照明シーンを記憶したメモリにアクセスする、請求項７に記載のシステム。
【請求項９】
物理的構造内の環境条件を管理するシステムであって、
前記物理的構造内の作業区域における照明の変化を示す１以上の照明センサと、
複数のリンクされたコミッション済ユニットであって、これらユニットのうちの少なくとも１つのユニットが前記作業区域に関連付けられると共に前記１以上の照明センサに通信的に接続され、前記少なくとも１つのユニットが、前記照明の変化の指示情報を受信すると共に該照明の変化の指示情報に関連する変化の量が事前設定量より多いか否かについての第１判定を行う一方、該第１判定に基づいて、前記１以上の照明センサの出力にアクセスすると共に前記作業区域における照明のレベルが事前設定された照明レベル以上であるか否かについての第２判定を行うコミッション済ユニットと、
前記第２判定が前記作業区域における照明レベルが前記事前設定された照明レベル以上であることを示す場合は第１フェード期間にわたり所定の最小レベルの照明を供給する状態に移行する一方、前記第２判定が前記作業区域における照明レベルが前記事前設定された照明レベルより低いことと示す場合は第２フェード期間にわたり所定の最大レベルの照明を供給する状態に移行する前記作業区域内の少なくとも１つの照明器具と、
を有する、システム。